(57)【要約】【課題】  各々の利用者毎にオリジナルの目次見出し情報を提供することが可能な電子冊子表示システム、電子冊子表示処理プログラム、及び電子冊子表示方法を提供する。【解決手段】  本発明は、複数頁を有する電子冊子と、当該電子冊子に掲載される内容に応じて作成された複数の目次見出し情報とを表示する電子冊子表示システムであって、前記目次見出し情報と、前記電子冊子を閲覧する複数の利用者毎に固有の利用者情報と、を記憶する記憶手段と、前記電子冊子を閲覧する利用者を認識し、当該認識した利用者に対応する利用者情報を前記記憶手段から取得する利用者情報取得手段と、前記取得された利用者情報に基づいて、表示するべき前記目次見出し情報を複数選定し、当該選定した複数の目次見出し情報の表示順序を決定する表示順序決定手段と、前記決定された目次見出し情報の表示順序にしたがって前記目次見出し情報を表示する目次見出し情報表示手段と、を備える。【選択図】  図７
2007072763.tif 000002
【特許請求の範囲】
【請求項１】
複数頁を有する電子冊子と、当該電子冊子に掲載される内容に応じて作成された複数の目次見出し情報とを表示する電子冊子表示システムであって、
前記目次見出し情報と、前記電子冊子を閲覧する複数の利用者毎に固有の利用者情報と、を記憶する記憶手段と、
前記電子冊子を閲覧する利用者を認識し、当該認識した利用者に対応する利用者情報を前記記憶手段から取得する利用者情報取得手段と、
前記取得された利用者情報に基づいて、表示するべき前記目次見出し情報を複数選定し、当該選定した複数の目次見出し情報の表示順序を決定する表示順序決定手段と、
前記決定された目次見出し情報の表示順序にしたがって前記目次見出し情報を表示する目次見出し情報表示手段と、
を備えることを特徴とする電子冊子表示システム。
【請求項２】
請求項１に記載の電子冊子表示システムにおいて、
前記利用者情報は、前記利用者の商品購買履歴情報であることを特徴とする電子冊子表示システム。
【請求項３】
請求項２に記載の電子冊子表示システムにおいて、
前記目次見出し情報は、前記電子冊子により紹介される複数の商品の商品分類毎に対応し、
前記商品購買履歴情報には、前記商品分類毎に購入数量を示す購入数量情報が含まれており、
前記表示順序決定手段は、前記購入数量情報に基づいて、前記購入数量が多い商品分類順に前記目次見出し情報の表示順序を決定することを特徴とする電子冊子表示システム。
【請求項４】
請求項１に記載の電子冊子表示システムにおいて、
前記利用者情報は、前記利用者の嗜好情報又は前記利用者の取捨選択情報であることを特徴とする電子冊子表示システム。
【請求項５】
請求項４に記載の電子冊子表示システムにおいて、
前記目次見出し情報は、前記電子冊子により紹介される複数の商品の商品分類毎に対応し、
前記嗜好情報には、前記利用者が嗜好する商品分類を示す商品分類情報が含まれ、前記取捨選択情報には、前記利用者により取捨選択された商品分類を示す商品分類情報が含まれており、
前記表示順序決定手段は、前記商品分類情報に基づいて、前記商品分類に対応する目次見出し情報を優先して選定することを特徴とする電子冊子表示システム。
【請求項６】
請求項１乃至５の何れか一項に記載の電子冊子表示システムにおいて、
前記記憶手段は、複数の電子冊子毎に、前記目次見出し情報を記憶し、
前記表示順序決定手段は、前記取得された利用者情報に基づいて、前記表示するべき目次見出し情報を、前記複数の電子冊子のうち少なくとも２以上の電子冊子毎に選定し、当該選定した複数の目次見出し情報の表示順序を決定し、
前記目次見出し情報表示手段は、前記決定された目次見出し情報の表示順序にしたがって前記複数の電子冊子の目次見出し情報を一つの電子冊子の目次見出し情報として表示することを特徴とする電子冊子表示システム。
【請求項７】
請求項１乃至６の何れか一項に記載の電子冊子表示システムに含まれるコンピュータを、
前記記憶手段、前記利用者情報取得手段、前記表示順序決定手段、及び前記目次見出し情報表示手段として機能させることを特徴とする電子冊子表示処理プログラム。
【請求項８】
複数頁を有する電子冊子と、当該電子冊子に掲載される内容に応じて作成された複数の目次見出し情報とを表示する電子冊子表示方法であって、
前記目次見出し情報と、前記電子冊子を閲覧する複数の利用者毎に固有の利用者情報と、を記憶する工程と、
前記電子冊子を閲覧する利用者を認識し、当該認識した利用者に対応する利用者情報を取得する工程と、
前記取得された利用者情報に基づいて、表示するべき前記目次見出し情報を複数選定し、当該選定した複数の目次見出し情報の表示順序を決定する工程と、
前記決定された目次見出し情報の表示順序にしたがって前記目次見出し情報を表示する工程と、
を備えることを特徴とする電子冊子表示方法。
【請求項９】
請求項１乃至６の何れか一項に記載の電子冊子表示システムは、利用者により使用される端末装置と、当該端末装置がネットワークを介して接続可能なサーバと、を備え、
前記サーバは、前記記憶手段、前記利用者情報取得手段、前記表示順序決定手段、及び、前記端末装置からの要求に応じて前記電子冊子、前記目次見出し情報、及び前記決定された目次見出し情報の表示順序に関する情報を前記ネットワークを介して前記端末装置に送信する送信手段と、を備え、
前記端末装置は、前記サーバから送信されてきた前記情報を受信する受信手段、及び、前記目次見出し情報表示手段を備えることを特徴とする電子冊子表示システム。
【発明の詳細な説明】
【技術分野】
【０００１】
本発明は、複数頁を有する電子冊子と、当該電子冊子により紹介される複数の商品の商品分類毎に対応する目次見出し情報とを表示する電子冊子表示システム等の技術分野に関する。
【背景技術】
【０００２】
従来から商品を紹介するカタログ等の印刷冊子が知られているが、近年では、このような印刷冊子がＤＴＰ(Desk Top Publishing)データやスキャンニング等によりデジタルデータ化され、そのデジタルデータをＨＴＭＬ(Hyper Text Markup Language)，ＸＭＬ(eXtensible Markup Language)やＦｌａｓｈなどを利用した表現手法で変換したデジタルカタログ等の電子冊子が普及されはじめている。
【０００３】
このような電子冊子は、例えばインターネット上におけるＷｅｂサーバから、パーソナルコンピュータ等の端末装置に対して提供され、当該端末装置において頁捲り可能に表示画面上に表示されるようになっている。更に、当該電子冊子に掲載される内容に応じて（沿って）作成された目次見出し情報が、電子冊子と共に表示されるようになっており、当該目次見出し情報により、利用者は、複数頁にわたる電子冊子の中から所望の内容が掲載された頁を迅速に探し出す（当該頁にジャンプする）ことができる。
【発明の開示】
【発明が解決しようとする課題】
【０００４】
しかしながら、通販カタログなどの大量頁数を有する電子冊子では、多くの利用者を対象にする特性上、個々の利用者にとって興味がない不要な頁や利用しない頁があり、目次見出し情報が表示されたとしても、その数が多くなるため、利用者は所望の内容が掲載された頁を迅速に探し出すことは困難であり、煩雑である。
【０００５】
また、同じ通販会社から複数冊の電子冊子が提供されている場合、利用者は、複数冊の電子冊子の夫々の目次見出し情報を見て所望の内容が掲載された頁を探し出すことになるので、より一層煩雑であり、また、他の電子冊子の表示切替も面倒である。
【０００６】
更にまた、個々の利用者にとって興味がない不要な頁や利用しない頁をも含んだ電子冊子が上記サーバから端末装置に送信されることになるので、利用者の端末装置のＣＰＵの処理速度やサーバまでの有効帯域（データ転送速度）によっては、電子冊子のデータを端末装置にてダウンロードする速度が遅くなり、利用者に不快感を与えることになる。
【０００７】
本発明は、以上の点に鑑みてなされたものであり、各々の利用者毎にオリジナルの目次見出し情報を提供することが可能な電子冊子表示システム、電子冊子表示処理プログラム、及び電子冊子表示方法を提供することを課題とする。
【課題を解決するための手段】
【０００８】
上記課題を解決するために、請求項１に記載の発明は、複数頁を有する電子冊子と、当該電子冊子に掲載される内容に応じて作成された複数の目次見出し情報とを表示する電子冊子表示システムであって、前記目次見出し情報と、前記電子冊子を閲覧する複数の利用者毎に固有の利用者情報と、を記憶する記憶手段と、前記電子冊子を閲覧する利用者を認識し、当該認識した利用者に対応する利用者情報を前記記憶手段から取得する利用者情報取得手段と、前記取得された利用者情報に基づいて、表示するべき前記目次見出し情報を複数選定し、当該選定した複数の目次見出し情報の表示順序を決定する表示順序決定手段と、前記決定された目次見出し情報の表示順序にしたがって前記目次見出し情報を表示する目次見出し情報表示手段と、を備えることを特徴とする。
【０００９】
請求項２に記載の発明は、請求項１に記載の電子冊子表示システムにおいて、前記利用者情報は、前記利用者の商品購買履歴情報であることを特徴とする。
【００１０】
請求項３に記載の発明は、請求項２に記載の電子冊子表示システムにおいて、前記目次見出し情報は、前記電子冊子により紹介される複数の商品の商品分類毎に対応し、前記商品購買履歴情報には、前記商品分類毎に購入数量を示す購入数量情報が含まれており、前記表示順序決定手段は、前記購入数量情報に基づいて、前記購入数量が多い商品分類順に前記目次見出し情報の表示順序を決定することを特徴とする。
【００１１】
請求項４に記載の発明は、請求項１に記載の電子冊子表示システムにおいて、前記利用者情報は、前記利用者の嗜好情報又は前記利用者の取捨選択情報であることを特徴とする。
【００１２】
請求項５に記載の発明は、請求項４に記載の電子冊子表示システムにおいて、前記目次見出し情報は、前記電子冊子により紹介される複数の商品の商品分類毎に対応し、前記嗜好情報には、前記利用者が嗜好する商品分類を示す商品分類情報が含まれ、前記取捨選択情報には、前記利用者により取捨選択された商品分類を示す商品分類情報が含まれており、前記表示順序決定手段は、前記商品分類情報に基づいて、前記商品分類に対応する目次見出し情報を優先して選定することを特徴とする。
【００１３】
請求項６に記載の発明は、請求項１乃至５の何れか一項に記載の電子冊子表示システムにおいて、前記記憶手段は、複数の電子冊子毎に、前記目次見出し情報を記憶し、前記表示順序決定手段は、前記取得された利用者情報に基づいて、前記表示するべき目次見出し情報を、前記複数の電子冊子のうち少なくとも２以上の電子冊子毎に選定し、当該選定した複数の目次見出し情報の表示順序を決定し、前記目次見出し情報表示手段は、前記決定された目次見出し情報の表示順序にしたがって前記複数の電子冊子の目次見出し情報を一つの電子冊子の目次見出し情報として表示することを特徴とする。
【００１４】
請求項７に記載の電子冊子表示処理プログラムは、請求項１乃至６の何れか一項に記載の電子冊子表示システムに含まれるコンピュータを、前記記憶手段、前記利用者情報取得手段、前記表示順序決定手段、及び前記目次見出し情報表示手段として機能させることを特徴とする。
【００１５】
請求項８に記載の発明は、複数頁を有する電子冊子と、当該電子冊子に掲載される内容に応じて作成された複数の目次見出し情報とを表示する電子冊子表示方法であって、前記目次見出し情報と、前記電子冊子を閲覧する複数の利用者毎に固有の利用者情報と、を記憶する工程と、前記電子冊子を閲覧する利用者を認識し、当該認識した利用者に対応する利用者情報を取得する工程と、前記取得された利用者情報に基づいて、表示するべき前記目次見出し情報を複数選定し、当該選定した複数の目次見出し情報の表示順序を決定する工程と、前記決定された目次見出し情報の表示順序にしたがって前記目次見出し情報を表示する工程と、を備えることを特徴とする。
【００１６】
請求項９に記載の発明は、請求項１乃至６の何れか一項に記載の電子冊子表示システムは、利用者により使用される端末装置と、当該端末装置がネットワークを介して接続可能なサーバと、を備え、前記サーバは、前記記憶手段、前記利用者情報取得手段、前記表示順序決定手段、及び、前記端末装置からの要求に応じて前記電子冊子、前記目次見出し情報、及び前記決定された目次見出し情報の表示順序に関する情報を前記ネットワークを介して前記端末装置に送信する送信手段と、を備え、前記端末装置は、前記サーバから送信されてきた前記情報を受信する受信手段、及び、前記目次見出し情報表示手段を備えることを特徴とする。
【発明の効果】
【００１７】
本発明によれば、電子冊子を閲覧する利用者毎に固有の利用者情報に基づいて、表示するべき目次見出し情報を複数選定し、当該選定した複数の目次見出し情報の表示順序を決定し、決定された目次見出し情報の表示順序にしたがって目次見出し情報を表示するようにしたので、各々の利用者毎にオリジナルの目次見出し情報を提供することができ、利用者にとって興味がない不要な頁や利用しない頁に対応する目次見出し情報はないので、利用者は所望の内容が掲載された頁を迅速に探し出すことが可能となる。
【発明を実施するための最良の形態】
【００１８】
以下、本発明を実施するための最良の実施形態について、図面に基づいて説明する。
【００１９】
先ず、図１を参照して、本発明の一実施形態に係る電子冊子表示システムの構成及び機能について説明する。
【００２０】
図１は、本実施形態に係る電子冊子表示システムの全体構成例を示す図である。
【００２１】
図１に示すように、電子冊子表示システムＳは、端末装置１と、情報提供サーバ２と、を備えて構成されている。なお、図１の例では、説明の便宜上、１つの端末装置１を示したが、実際にはこれより多くの端末装置が存在することになる。
【００２２】
端末装置１は、インターネット等により構築されたネットワークＮＴを介してＷＥＢサーバである情報提供サーバ２に接続して通信可能（例えば、通信プロトコルにＴＣＰ／ＩＰ（Transmission Control Protocol/Internet Protocol）を用いて、相互にデータの送受信が可能）になっている。
【００２３】
図２は、情報提供サーバ２の概要構成例を示す図である。
【００２４】
図２に示すように、情報提供サーバ２は、ＣＰＵ、作業用のＲＡＭ（Random Access Memory）、データ及びプログラムを記憶するＲＯＭ（Read Only Memory）等を備える制御部２１、各種情報を記憶する記憶手段としての記憶部（例えば、ハードディスクドライブ等からなる）２２、ネットワークＮＴを介して他の装置との間で通信を行うための通信部（例えば、通信機器、通信ポート等）２３等を備え、接続してきた端末装置１に対してネットワークＮＴを介して情報等を提供するＷＥＢサーバである。
【００２５】
制御部２１は、例えば、ＣＰＵが、ＲＯＭや記憶部２２に記憶されたプログラムを読み出して実行することにより、本発明の利用者情報取得手段、表示順序決定手段、及び送信手段等として機能し、後述する処理を実行するようになっている。
【００２６】
また、記憶手段としての記憶部２２には、電子冊子データベース２２ａと、利用者情報データベース２２ｂとが構築されている。
【００２７】
電子冊子データベース２２ａには、複数頁を有する電子冊子のデータ（例えば、ＨＴＭＬ(Hyper Text Markup Language)やＸＭＬ(eXtensible Markup Language)で構成されたデータ、及びそこに貼り付けられる画像データ等）、当該電子冊子に掲載される内容に応じて作成された複数の目次見出し情報、及び、当該複数の目次見出し情報の表示順序を電子冊子の頁順に沿って設定された表示順序初期設定（デフォルト）情報等が記憶されている。
【００２８】
なお、本実施形態においては、電子冊子として、商品カタログを例にとって説明するものとし、当該商品カタログには、これにより紹介される複数の商品についての商品情報が商品分類毎に掲載されている。また、本実施形態において、目次見出し情報は、上記商品分類毎に対応して設けられる。
【００２９】
図３は、表示画面上に表示された商品カタログと、目次見出しの一例を示す図である。
【００３０】
図３に示すように目次見出し５１には、目次見出し情報として、「文具」、「家具」、「収納用品」、「お菓子」、「掃除用品」、「お中元」、及び「お歳暮」が表示順序初期設定（デフォルト）情報にしたがって上から順に表示（頁順に沿って表示）されている。そして、例えば、端末装置１の利用者が入力部を操作して所望の目次見出し情報を選択（指定）すると、その選択された目次見出し情報に対応する商品分類に属する商品の商品情報が掲載された頁が表示されることになる。
【００３１】
利用者情報データベース２２ｂには、商品カタログを閲覧する複数の利用者毎に固有の利用者情報が記憶されている。各利用者には、夫々固有の利用者ＩＤが割り当てられており、各利用者情報には、夫々の利用者の利用者ＩＤが対応付けられて管理されるようになっている。
【００３２】
図４は、利用者情報データベース２２ｂに記憶された利用者情報の一例を示す図である。
【００３３】
図４に示すように、利用者情報には、利用者の商品購買履歴情報と、利用者の嗜好情報との少なくとも何れか一方が含まれている。
【００３４】
商品購買履歴情報には、商品分類毎に購入数量を示す購入数量情報が含まれており、各利用者が端末装置１から商品カタログを閲覧して所望の商品を購入することにより、その商品の商品分類に対応する購入数量情報が登録（購入数量が積算）される。
【００３５】
また、嗜好情報には、利用者が嗜好する商品分類を示す商品分類情報が含まれており、例えば、各利用者が端末装置１から嗜好する商品分類を設定することにより、その商品分類情報が登録されるか、或いは、システム運営者が各利用者に事前にアンケート等で嗜好する商品分類又は当該商品分類に紐付けられるべき情報を採取することにより、その商品分類情報が登録される。
【００３６】
なお、各利用者が嗜好するか否かは別として、端末装置１から商品分類を取捨選択して設定してもよい。この場合、利用者が取捨選択した商品分類を取捨選択情報として、利用者情報データベース２２ｂに記憶された利用者情報に含ませることになる（なお、取捨選択情報は、嗜好情報中に含ませても良いし、嗜好情報とは区別するようにしてもよい）。
【００３７】
図５（Ａ）は、各利用者が端末装置１から商品分類を設定する場合の表示例を示す図であり、図５（Ｂ）は、システム運営者により行われるアンケートの記入例を示す図である。図５（Ａ）の例では、利用者が例えば嗜好する商品分類に対してチェックマークが付与されており、チェックマークが付与された商品分類が上記商品分類情報として登録されることになる。また、図５（Ｂ）の例では、商品分類に紐付けられるべき情報である「インテリア」及び「ファッション」にチェックマークが付与されており、チェックマークが付与された「インテリア」に紐付けられた商品分類「家具」及び「ファッション」に紐付けられた商品分類「水着特集」が上記商品分類情報として登録されることになる。
【００３８】
利用者情報取得手段としての制御部２１は、例えば接続してきた端末装置１の利用者（商品カタログを閲覧する利用者）を認識（例えば、例えばログイン時にネットワークＮＴを介して端末装置１から利用者ＩＤ及びパスワードを取得して認証することによる）、当該認識した利用者に対応する利用者情報を利用者情報データベース２２ｂから取得するようになっている。
【００３９】
また、表示順序決定手段としての制御部２１は、取得された利用者情報に基づいて、表示するべき目次見出し情報を複数選定し、当該選定した複数の目次見出し情報の表示順序を決定するようになっている。つまり、表示順序初期設定情報により規定された目次見出し情報の表示順序に代えて、各々の利用者毎にオリジナルの目次見出し情報の表示順序が決定されることになる。言い換えれば、表示順序初期設定情報により設定された目次見出し情報の表示順序が、利用者毎に応じた表示順序に並び替えられることになる。
【００４０】
また、送信手段としての制御部２１は、端末装置１からの要求に応じて上記電子冊子の一例としての商品カタログのデータ及び上記目次見出し情報と共に、上記表示順序初期設定情報又は上記決定された利用者固有の目次見出し情報の表示順序に関する情報（以下、「表示順序利用者固有設定情報」という）をネットワークＮＴを介して端末装置１に送信するようになっている。
【００４１】
図６は、端末装置１の概要構成例を示す図である。
【００４２】
図６に示すように、端末装置１は、ＣＰＵ、作業用のＲＡＭ、データ及びプログラムを記憶するＲＯＭ等を備える制御部１１、各種情報を記憶する記憶部（例えば、ハードディスクドライブ等からなる）１２、ネットワークＮＴを介して他の装置との間で通信を行うための通信部（例えば、通信機器、通信ポート等）１３、利用者が操作入力を行うための入力部（例えば、キーボード、マウス等）１４、及び、商品カタログ及び目次見出し情報等を表示する表示部（例えば、液晶パネル等）１５等を備えている。なお、端末装置１としては、例えば、パーソナルコンピュータ、ＰＤＡ（Personal Digital Assistant）等を適用することができる。
【００４３】
制御部１１は、例えば、ＣＰＵが、ＲＯＭや記憶部１２に記憶されたプログラムを読み出して実行することにより、本発明の受信手段、及び目次見出し情報表示手段等として機能し、後述する処理を実行するようになっている。
【００４４】
受信手段としての制御部１１は、情報提供サーバ２から送信されてきた上記商品カタログのデータ及び上記目次見出し情報と、上記表示順序初期設定情報又は上記表示順序利用者固有設定情報を受信するようになっている。
【００４５】
また、目次見出し情報表示手段としての制御部１１は、上記決定された目次見出し情報の表示順序にしたがって目次見出し情報を表示部１５に表示するようになっている。
【００４６】
次に、図７を参照して、本実施形態に係る電子冊子表示システムＳの動作について説明する。
【００４７】
図７（Ａ）は、端末装置１における制御部１１の処理を示すフローチャートであり、図７（Ｂ）は、情報提供サーバ２における制御部２１の処理を示すフローチャートである。
【００４８】
利用者が端末装置１の入力部１４を操作してブラウザを起動させ例えば情報提供サーバ２のＵＲＬ（Uniform Resource Locator）を指定すると、端末装置１がネットワークＮＴを介して情報提供サーバ２に接続され、これに応じて情報提供サーバ２からログイン画面データが送信され、端末装置１の表示部１５にログイン画面（図示せず）が表示される。
【００４９】
このようにログイン画面が表示された状態において、利用者は入力部１４を操作して自己の利用者ＩＤ及びパスワードを入力して実行ボタンを押下すると、端末装置１は、ネットワークＮＴを介して利用者ＩＤ及びパスワードを情報提供サーバ２に送信する（ステップＳ１）。
【００５０】
これに対して、情報提供サーバ２の制御部２１は、端末装置１から送信されてきた利用者ＩＤ及びパスワードを受信すると（ステップＳ１１）、認証処理を実行、つまり、利用者ＩＤ及びパスワードが利用者情報データベース２２ｂに登録されているか否かを判断し（ステップＳ１２）、登録されている場合には（ステップＳ１２：Ｙ）、端末装置１の利用者（利用者ＩＤ）を認識し、ステップＳ１３に移行する。一方、登録されていない場合には（ステップＳ１２：Ｎ）、当該処理を終了する（なお、この場合、エラーメッセージを端末装置１に送信して表示させるようにしてもよい）。
【００５１】
ステップＳ１４では、制御部２１は、認識した利用者ＩＤに対応する利用者情報が利用者情報データベース２２ｂに登録されているか否かを判別し、登録されている場合には（ステップＳ１３：Ｙ）、商品購買履歴情報又は嗜好情報を利用者情報データベース２２ｂから取得（ＲＡＭに記憶）する（ステップＳ１４）。一方、利用者情報が利用者情報データベース２２ｂに登録されていない場合には（ステップＳ１３：Ｎ）、ステップＳ１７に移行される。
【００５２】
なお、商品購買履歴情報と嗜好情報とのどちらを取得するかは、情報提供サーバ２側、或いは、端末装置１側で任意に設定可能である。また、商品購買履歴情報と嗜好情報との双方が取得されるようにしても良い。
【００５３】
次いで、制御部２１は、取得した商品購買履歴情報又は嗜好情報（或いは、商品購買履歴情報及び嗜好情報の組合せ）に基づいて、表示するべき目次見出し情報を複数選定し、当該選定した複数の目次見出し情報の表示順序を決定し（ステップＳ１５）、表示順序利用者固有設定情報を生成する。
【００５４】
ここで、商品購買履歴情報が取得された場合、制御部２１は、購入数量情報に基づいて、表示するべき目次見出し情報を複数選定し、購入数量が多い商品分類順に目次見出し情報の表示順序を決定する。例えば、表示順序初期設定情報により設定された目次見出し情報と同一又はこれより少ない数（例えば、購入数量が１０以上の商品分類の数）の商品分類に対応する目次見出し情報が選定され、購入数量が多い商品分類順（例えば、図４の例では、「お菓子」、「収納用品」、「掃除用品」の順）に目次見出し情報の表示順序が決定される。
【００５５】
また、嗜好情報が選定された場合、制御部２１は、商品分類情報に基づいて、利用者が嗜好する商品分類に対応する目次見出し情報を優先して選定する。例えば、商品分類情報として登録された商品分類に対応する目次見出し情報のみが選定され、当該選定された複数の目次見出し情報の表示順序が決定される。この場合の目次見出し情報の表示順序は、表示順序初期設定情報にて設定された表示順序と同一であっても良いし、或いは、購入数量が多い商品分類順（商品購買履歴情報をも取得された場合）であっても良い。
【００５６】
なお、上述したように、制御部２１は、利用者により取捨選択された商品分類を示す商品分類情報に基づいて、当該商品分類に対応する目次見出し情報を優先して選定するように構成してもよい。
【００５７】
なお、選定される目次見出し情報の数が予め決まっている場合（例えば、２０と決まっている場合）に、商品分類情報として登録された商品分類に対応する目次見出し情報がその数に満たないとき（例えば、１５しかないとき）、商品分類情報として登録された商品分類に対応する目次見出し情報に加えて、登録されていない商品分類に対応する目次見出し情報をも選定される。
【００５８】
また、別の例として、購入数量情報に基づいて、購入数量が多い上位所定数分の商品分類に対応する目次見出し情報を選定した後、その選定された目次見出し情報中から、商品分類情報に基づいて、利用者が嗜好する商品分類に対応する目次見出し情報のみを選定して、当該選定された複数の目次見出し情報の表示順序を決定する（例えば、購入数量が多い商品分類順）ように構成しても良い。
【００５９】
次いで、制御部２１は、上記商品カタログのデータ及び上記目次見出し情報を電子冊子データベース２２ａから取得し、当該商品カタログのデータ及び目次見出し情報と、上記生成した表示順序利用者固有設定情報をネットワークＮＴを介して端末装置１に送信し（ステップＳ１６）、当該処理を終了する。
【００６０】
一方、ステップＳ１７では、制御部２１は、上記商品カタログのデータ、上記目次見出し情報、及び上記表示順序初期設定情報を電子冊子データベース２２ａから取得し、これらの情報をネットワークＮＴを介して端末装置１に送信し、当該処理を終了する。
【００６１】
これに対し、端末装置１の制御部１１は、情報提供サーバ２から送信されてきた上記商品カタログのデータ及び上記目次見出し情報と、上記表示順序初期設定情報又は上記表示順序利用者固有設定情報を受信すると（ステップＳ２：Ｙ）、受信された商品カタログを表示部１５における表示画面上に表示すると共に、受信された上記表示順序初期設定情報又は上記表示順序利用者固有設定情報にて規定された目次見出し情報の表示順序にしたがって目次見出し情報を表示部１５の表示画面上に表示する（ステップＳ３）。
【００６２】
図８は、表示画面上に表示された商品カタログと、上記表示順序利用者固有設定情報にしたがって表示された目次見出しの一例を示す図である。
【００６３】
図８に示すように目次見出し６１には、目次見出し情報として、「お菓子」、「収納用品」、「掃除用品」が表示順序利用者固有設定情報にしたがって上から順に表示されている。図３に示す表示順序初期設定情報にしたがって表示された目次見出しの表示例と比較すると分かるように、目次見出し情報の数及びその表示順序が変わっており、利用者オリジナルの目次見出しになっている。
【００６４】
そして、ステップＳ４における商品カタログの頁捲り処理では、例えば、端末装置１の利用者が入力部１４を操作して所望の目次見出し情報を指定することにより、指定された目次見出し情報に対応する商品分類に属する商品の商品情報が掲載された頁が表示される。また、端末装置１の利用者が入力部１４を操作して例えば次頁へボタンを指定することにより、表示されている頁が進んで次の頁が表示される。
【００６５】
以上説明したように、上記実施形態によれば、商品カタログを閲覧する利用者毎に固有の利用者情報に基づいて、表示するべき目次見出し情報を複数選定し、当該選定した複数の目次見出し情報の表示順序を決定し、決定された目次見出し情報の表示順序にしたがって目次見出し情報を表示するようにしたので、各々の利用者毎にオリジナルの目次見出し情報を提供することができ、利用者にとって興味がない不要な頁や利用しない頁に対応する目次見出し情報はないので、利用者は所望の内容が掲載された頁を迅速に探し出すことが可能となる。
【００６６】
また、利用者情報として、利用者の商品購買履歴情報や利用者の嗜好情報を用いるようにしたので、より一層、各々の利用者に合ったオリジナルの目次見出し情報を提供することができる。
【００６７】
なお、上記実施形態におけるステップＳ１６おいて、全ての商品カタログのデータ及び上記目次見出し情報が端末装置１に送信されるのではなく、上記生成した表示順序利用者固有設定情報にて規定された目次見出し情報に対応する頁に係る商品カタログのデータ及び目次見出し情報（つまり、データ容量を低減させ）のみが端末装置１に送信されるように構成しても良い。このように構成すれば、個々の利用者にとって興味がない不要な頁や利用しない頁をも含んだ電子冊子が情報提供サーバ２から端末装置１に送信されないので、利用者の端末装置１のＣＰＵの処理速度や情報提供サーバ２での有効帯域（データ転送速度）が小さくても、商品カタログのデータを端末装置１にてダウンロードする速度が速くなり、利用者に不快感を与えることを防止することができる。
【００６８】
また、上記実施形態におけるステップＳ１６おいて、商品カタログのデータ及び目次見出し情報と、上記生成された表示順序利用者固有設定情報と共に、表示順序初期設定情報も端末装置１に送信されるように構成し、端末装置１においては、タブやボタン（カタログ閲覧ボタンとマイカタログ閲覧ボタン）を表示画面上に表示させ、端末装置１の利用者が入力部１４によりタブやボタンを操作することにより、目次見出し情報の表示が、表示順序初期設定情報により規定された目次見出し情報の表示順序と、表示順序利用者固有設定情報により規定された目次見出し情報の表示順序とで切替えられるように構成しても良い。このように構成すれば、利用者共通の目次見出しと、利用者毎にオリジナルの目次見出しとの両方を適宜切り替えて見ることができる。
【００６９】
また、上記実施形態においては、１つの商品カタログを端末装置１上で表示する場合を例にとって説明したが、複数の商品カタログの目次見出し情報を統合させて表示するように構成しても良い。この場合、夫々の商品カタログに対応する上記商品カタログのデータ、上記目次見出し情報、及び上記表示順序初期設定情報等が、商品カタログ毎に固有のＩＤが付与されて記憶されている。そして、利用者が、ログイン後に端末装置１上に表示された例えばメニュー画面を通じて、所望する少なくとも２以上の商品カタログを選択すると、その情報がネットワークＮＴを介して情報提供サーバ２に送信され、情報提供サーバ２における制御部２１は、当該利用者の利用者情報（商品カタログ毎に登録）に基づいて、表示するべき目次見出し情報を、選択された複数の電子カタログのうち少なくとも２以上の電子カタログ毎に選定し、当該選定した複数の目次見出し情報の表示順序を決定する。
【００７０】
図９は、複数の商品カタログの目次見出し情報を統合させて表示順序を決定する場合の一例を示した概念図である。
【００７１】
図９の例では、商品カタログＡの目次見出し情報である「商品分類Ｒ１」と、商品カタログＢの目次見出し情報である「商品分類Ｘ２」と、商品カタログＣの目次見出し情報である「商品分類Ｙ３」と、商品カタログＤの目次見出し情報である「商品分類Ｚ４」とが選定（この場合も、上記実施形態と同様、商品購買履歴情報と嗜好情報との少なくとも何れか一方に基づき選定）されており、例えば購入数量が多い商品分類順に目次見出し情報の表示順序が決定されている。
【００７２】
そして、こうして決定された目次見出し情報の表示順序が規定される表示順序利用者固有設定情報が、上記商品カタログＡ〜Ｄのデータ及び上記目次見出し情報と共に端末装置１に送信され、端末装置１の制御部１１は、表示順序利用者固有設定情報にて規定された目次見出し情報の表示順序にしたがって複数の商品カタログの目次見出し情報を一つの商品カタログの目次見出し情報として表示する。
【００７３】
図１０は、複数の商品カタログの目次見出し情報を統合させて表示順序を決定する場合における、表示画面上に表示された商品カタログと、上記表示順序利用者固有設定情報にしたがって表示された目次見出しの一例を示す図である。図１０に示すように目次見出し７１では、複数のカタログの目次見出し情報が統合化されており、例えば、端末装置１の利用者が入力部１４を操作して所望の目次見出し情報を指定することにより、指定された目次見出し情報に対応する商品カタログの商品分類に属する商品の商品情報が掲載された頁が表示されると共に、当該商品カタログを示す表示欄（例えば、図１０に示す符号７２部）がハイライト（強調）表示されることになる。
【００７４】
このように複数の商品カタログの目次見出し情報を統合させて表示するように構成すれば、複数の商品カタログがあっても、夫々の商品カタログ自体の表示切替を行うことなく、利用者は、複数の商品カタログから所望の内容が掲載された頁を迅速に探し出すことが可能となる。
【００７５】
また、上記実施形態においては、電子冊子として、商品カタログを例にとって説明したが、これに限定されるものではなく、目次見出しがある辞書や書籍等の冊子であれば、如何なるものに対しても適用可能である。
【００７６】
また、上記実施形態においては、利用者情報として、商品購買履歴情報及び嗜好情報を例にとって説明したが、これに限定されるものではなく、利用者の操作履歴等、利用者毎に変化するような情報であれば如何なるものに対しても適用可能である。
【００７７】
また、上記実施形態においては、端末装置１と情報提供サーバ２により構成された電子冊子表示システムＳに対して本発明を適用したが、これに限定されるものではなく、スタンドアローン型のコンピュータに対しても適用可能（この場合、当該コンピュータは、本発明の電子冊子表示処理プログラムを実行することにより、本発明における記憶手段、利用者情報取得手段、表示順序決定手段、及び目次見出し情報表示手段として機能する。
【００７８】
また、上記実施形態においては、情報提供サーバ２が、取得された利用者情報に基づいて、表示するべき目次見出し情報を複数選定し、当該選定した複数の目次見出し情報の表示順序を決定するように構成したが、別の例として、端末装置１が情報提供サーバから利用者情報及び表示順序初期設定情報を取得し、表示するべき目次見出し情報を複数選定し、当該選定した複数の目次見出し情報の表示順序を決定するように構成しても良い。
【図面の簡単な説明】
【００７９】
【図１】本実施形態に係る電子冊子表示システムの全体構成例を示す図である。
【図２】情報提供サーバ２の概要構成例を示す図である。
【図３】表示画面上に表示された商品カタログと、目次見出しの一例を示す図である。
【図４】利用者情報データベース２２ｂに記憶された利用者情報の一例を示す図である。
【図５】（Ａ）は、各利用者が端末装置１から嗜好する商品分類を設定する場合の表示例を示す図であり、（Ｂ）は、システム運営者により行われるアンケートの記入例を示す図である。
【図６】端末装置１の概要構成例を示す図である。
【図７】（Ａ）は、端末装置１における制御部１１の処理を示すフローチャートであり、（Ｂ）は、情報提供サーバ２における制御部２１の処理を示すフローチャートである。
【図８】表示画面上に表示された商品カタログと、上記表示順序利用者固有設定情報にしたがって表示された目次見出しの一例を示す図である。
【図９】複数の商品カタログの目次見出し情報を統合させて表示順序を決定する場合の一例を示した概念図である。
【図１０】複数の商品カタログの目次見出し情報を統合させて表示順序を決定する場合における、表示画面上に表示された商品カタログと、上記表示順序利用者固有設定情報にしたがって表示された目次見出しの一例を示す図である。
【符号の説明】
【００８０】
１  端末装置
２  情報提供サーバ
１１  制御部
１２  記憶部
１３  通信部
１４  入力部
１５  表示部
２１  制御部２１
２２  記憶部２２
２２ａ  電子冊子データベース
２２ｂ  利用者情報データベース
ＮＴ  ネットワーク
Ｓ  電子冊子表示システム
【図１】
2007072763.tif 000003
【図２】
2007072763.tif 000004
【図３】
2007072763.tif 000005
【図４】
2007072763.tif 000006
【図５】
2007072763.tif 000007
【図６】
2007072763.tif 000008
【図７】
2007072763.tif 000009
【図８】
2007072763.tif 000010
【図９】
2007072763.tif 000011
【図１０】
2007072763.tif 000012